(57)【要約】【課題】回収作業効率が良く、装置及び周囲を汚さない廃棄塵芥物回収装置そして廃棄塵芥物回収方法を提供する。【解決手段】回収機３は、回収箱７と、該回収箱７の内部空間を吸気側の第一室７Ａと排気側の第二室７Ｂに区分するフィルタ８と、回収袋体１１を開口状態で第一室７Ａ内で吊下支持する吊下支持部とを有しており、吸引管２が第一室７Ａに連通して接続されていて廃棄塵芥物Ｐがフィルタ８の第一室７Ａ側の面で回収され上記回収袋体１１内へ落下収容され、フィルタ８を透気した空気が第二室７Ｂを経て吸引力発生装置５により外気へ放出されるようになっており、回収箱７が開閉扉７Ｃを有していて、該回収箱７の開時に吊下支持部に対して回収袋体１１を吊下装着そして取り外しを可能としている。【選択図】図１
2015131272.tif 000002
【特許請求の範囲】
【請求項１】
廃棄塵芥物を吸引する吸引ノズルを先端に備えた吸引管と、吸引された廃棄塵芥物を吸引管から受けて収容する回収袋体を吊下状態で収める回収機と、該回収機を経て上記吸引管に吸引力を付与する吸引力発生装置とを有する廃棄塵芥物回収装置において、
回収機は、回収箱と、該回収箱の内部空間を吸気側の第一室と排気側の第二室に区分するフィルタと、回収袋体を開口状態で第一室内で吊下支持する吊下支持部とを有しており、吸引管が第一室に連通して接続されていて廃棄塵芥物がフィルタの第一室側の面で回収され上記回収袋体内へ落下収容され、フィルタを透気した空気が第二室を経て吸引力発生装置により外気へ放出されるようになっており、
回収箱が開閉扉を有していて、該回収箱の開時に吊下支持部に対して回収袋体を吊下装着そして取り外しを可能としていることを特徴とする廃棄塵芥物回収装置。
【請求項２】
回収箱は、該回収箱の第一室における圧力の調整のための通気孔が、調整弁を有する接続管を介して上記第一室と吸引力発生装置とを連通させるように形成されていることとする請求項１に記載の廃棄塵芥物回収装置。
【請求項３】
回収箱は、該回収箱の第一室における圧力の調整のために該回収箱外と第一室とを連通させる開閉部材が設けられていることとする請求項１または請求項２に記載の廃棄塵芥物回収装置。
【請求項４】
回収箱は、該回収箱の上部位置にて、吸引管が第一室に対してそれぞれ接線方向に向く空気流を生ずるように接続されていて、第一室内でフィルタの周囲に旋回流を形成するようになっていることとする請求項１ないし請求項３のいずれか一つに記載の廃棄塵芥物回収装置。
【請求項５】
廃棄塵芥物を吸引する吸引ノズルを先端に備えた吸引管と、吸引された廃棄塵芥物を吸引管から受けて収容する回収袋体を吊下状態で回収箱内に収める回収機と、該回収機を経て吸引管に吸引力を付与する吸引力発生装置とを有する廃棄塵芥物回収装置による廃棄塵芥物回収方法において、
回収箱の内部空間がフィルタにより吸気側の第一室と排気側の第二室に区分された該第一室へ、該第一室内に設けられた吊下支持部に対して、回収袋体を開口状態で吊下支持させ、第一室に連通して接続されている上記吸引管で廃棄塵芥物を吸引し、フィルタの第一室側の面で回収された廃棄塵芥物を上記回収袋体内へ落下収容し、フィルタを透気した空気を、第二室を経て吸引力発生装置により外気へ放出し、廃棄塵芥物の回収後の回収袋体を回収機外へ取り外すことを特徴とする廃棄塵芥物回収方法。
【請求項６】
回収袋体の開口縁部の外面に支持リングを配し、回収袋体の開口端側を支持リングに対して折り返し、該支持リングが位置する部分で回収袋体を吊下支持部で吊下支持することとする請求項５に記載の廃棄塵芥物回収方法。
【発明の詳細な説明】
【技術分野】
【０００１】
本発明は廃棄塵芥物の回収のための装置及び方法に関する。
【背景技術】
【０００２】
路面、公園、庭園等での落ち葉、街路樹での伐採枝等の廃棄塵芥物の回収には、吸引装置に接続された可撓ダクトの先端に設けられた吸引ノズルを備えた回収装置が用いられることが多い。この回収装置は、吸引ノズルに吸引力を付与するための吸引ブロワと、回収された廃棄塵芥物を収容するための回収箱とを有している。該回収箱は、開閉扉を有する密閉箱状をなしていて、内部にはフィルタが設けられている。かかる装置においては、廃棄塵芥物は吸引ノズルで吸引され、回収箱内でフィルタ面で回収され落下して回収箱の底部に堆積される。フィルタを透過した空気は吸引ブロワで外気へ放出される。回収箱内での廃棄塵芥物の回収量が所定量になると、作業者によって上記開閉扉が開かれ該廃棄塵芥物を廃棄回収箱外へ取り出すとともに回収袋体へ移し詰め込むこととしている。
【先行技術文献】
【特許文献】
【０００３】
【特許文献１】発見できず
【発明の概要】
【発明が解決しようとする課題】
【０００４】
上述した従来の廃棄塵芥物回収装置にあっては、回収箱内へ吸引回収された廃棄塵芥物は、回収箱の底部（底板上）に直接堆積されるので、回収箱から廃棄塵芥物を該回収箱外へ取り出してから人手によって回収袋体への詰め込み作業を行わねばならない。すなわち、取出しと詰込みという二度の作業が必要となり、作業効率が低い。これに加えて、回収箱内への廃棄塵芥物の取り残し、そして、回収箱外での路面へのこぼれ等によって、装置そして周囲を汚してしまう。
【０００５】
本発明は、かかる事情に鑑み、回収作業効率が良く、装置及び周囲を汚さない廃棄塵芥物回収装置そして廃棄塵芥物回収方法を提供することを課題とする。
【課題を解決するための手段】
【０００６】
上述の課題は、次の第一発明に係る廃棄塵芥物回収装置そして第二発明に係る廃棄塵芥物回収方法により解決される。
【０００７】
＜第一発明＞
第一発明に係る廃棄塵芥物回収装置は、廃棄塵芥物を吸引する吸引ノズルを先端に備えた吸引管と、吸引された廃棄塵芥物を吸引管から受けて収容する回収袋体を吊下状態で収める回収機と、該回収機を経て上記吸引管に吸引力を付与する吸引力発生装置とを有する。
【０００８】
かかる廃棄塵芥物回収装置において、第一発明では、回収機は、回収箱と、該回収箱の内部空間を吸気側の第一室と排気側の第二室に区分するフィルタと、回収袋体を開口状態で第一室内で吊下支持する吊下支持部とを有しており、吸引管が第一室に連通して接続されていて廃棄塵芥物がフィルタの第一室側の面で回収され上記回収袋体内へ落下収容され、フィルタを透気した空気が第二室を経て吸引力発生装置により外気へ放出されるようになっており、回収箱が開閉扉を有していて、該回収箱の開時に吊下支持部に対して回収袋体を吊下装着そして取り外しを可能としていることを特徴としている。
【０００９】
第一発明では、廃棄塵芥物を回収するための回収袋体は、回収箱の第一室内で吊下支持部によって開口状態で吊下支持され、吸引管で吸引された廃棄塵芥物がフィルタの第一室側の面で回収されて上記回収袋体内へ直接、落下収容されるようになっている。廃棄塵芥物を収容した回収袋体は、回収箱の開閉扉を開いて取り出される。したがって、この第一発明によれば、回収袋体への廃棄塵芥物の収容がきわめて簡単に回収箱内で直接行われるので、作業効率が向上するとともに、回収箱内そして周囲で廃棄塵芥物がこぼれて汚すこともなく、清掃の手間も省け、その点でも作業効率が向上する。
【００１０】
第一発明において、回収箱は、該回収箱の第一室における圧力の調整のための通気孔が、調整弁を有する接続管を介して上記第一室と吸引力発生装置とを連通させるように形成されていることが好ましい。このような構成とすることにより、吸引力発生装置により第一室における回収袋体外の空間の空気が吸引される。この結果、回収袋体内の空気が吸引力発生装置によりフィルタを介して吸引されて圧力が低下する一方で、回収袋体外の空間の空気も通気孔を介して吸引力発生装置により吸引されて圧力が低下する。したがって、回収袋体の内側と外側の圧力を近づけることができるので、吸引力発生装置の吸引力が回収袋体内部に作用して該回収袋体が潰れてしまうことを防止できる。また、本発明では、上記調整弁の開度を調整することにより回収袋体外の空間の圧力を調整できるので、例えば、回収袋体の素材のもつ通気性の程度に応じて、上記回収袋体外の空間を最適な圧力に調整して、回収袋体の潰れを良好に防止できる。
【００１１】
本発明において、回収箱は、該回収箱の第一室における圧力の調整のために該回収箱外と第一室とを連通させる開閉部材が設けられていることが好ましい。このような開閉部材を設けた場合には、例えば回収袋体に回収された廃棄塵芥物の量が所定量に達した後に、開閉部材を開状態として、回収袋体の外側の圧力を内側の圧力よりも高くすることにより、該回収袋体を圧縮してコンパクト化した状態で回収箱から取り出すことができる。
【００１２】
回収箱は、該回収箱の上部位置にて、吸引管が第一室に対して接線方向に向く空気流を生ずるように接続されていて、第一室内でフィルタの周囲に旋回流を形成するようになっていることが好ましい。
【００１３】
このような構成によれば、第一室に吸引された廃棄塵芥物は、上記旋回流によって旋回しサイクロン状態となり、例えば伐採枝や落ち葉等の比較的大きい（重い）廃棄塵芥物が遠心力の作用によって半径方向外方へ向け分離されてから回収袋体内へ落下収容される。一方、例えば砂や埃等の比較的小さい（軽い）廃棄塵芥物は、中心側に位置するフィルタの第一室側の面で回収された後、回収袋体へ落下収容される。したがって、大きい廃棄塵芥物がフィルタの第一室側の面で回収されるべき量が減るので、その分、大きい廃棄塵芥物によるフィルタの目詰まりが生じにくくなり、上記フィルタの負担が軽減され、廃棄塵芥物の回収効率の低下を回避できる。
【００１４】
＜第二発明＞
第二発明に係る廃棄塵芥物回収方法は、廃棄塵芥物を吸引する吸引ノズルを先端に備えた吸引管と、吸引された廃棄塵芥物を吸引管から受けて収容する回収袋体を吊下状態で回収箱内に収める回収機と、該回収機を経て吸引管に吸引力を付与する吸引力発生装置とを有する廃棄塵芥物回収装置による。
【００１５】
かかる廃棄塵芥物回収方法において、第二発明では、回収箱の内部空間がフィルタにより吸気側の第一室と排気側の第二室に区分された該第一室へ、該第一室内に設けられた吊下支持部に対して、回収袋体を開口状態で吊下支持させ、第一室に連通して接続されている上記吸引管で廃棄塵芥物を吸引し、フィルタの第一室側の面で回収された廃棄塵芥物を上記回収袋体内へ落下収容し、フィルタを透気した空気を、第二室を経て吸引力発生装置により外気へ放出し、廃棄塵芥物の回収後の回収袋体を回収機外へ取り外すことを特徴としている。
【００１６】
第二発明では、廃棄塵芥物がフィルタの第一室側の面で回収されて上記回収袋体内へ直接、落下収容され、廃棄塵芥物の回収後の回収袋体が回収機外へ取り外される。したがって、第二発明においても、第一発明と同様に、回収袋体への廃棄塵芥物の収容がきわめて簡単に行われて作業効率が向上すると共に、回収箱内そして周囲で廃棄塵芥物がこぼれて汚すこともなく、清掃の手間も省け、その点でも作業効率が向上する。
【００１７】
第二発明において、回収袋体の開口縁部の外面に支持リングを配し、回収袋体の開口端側を支持リングに対して折り返し、該支持リングが位置する部分で回収袋体を吊下支持部で吊下支持することが好ましい。この支持リングを用いることにより、回収袋体が常に開口した状態を維持したまま、該回収袋体を吊下支持部に吊下装着することが容易となる。廃棄塵芥物の回収後は、回収袋体を回収箱外に取り出してから支持リングを取り外し、回収袋体の開口を縛って封止する。支持リングは再度利用することが可能である。
【発明の効果】
【００１８】
本発明は、以上のように、回収装置内に設けられた吊下支持部で回収袋体を吊下支持し、フィルタで回収された廃棄塵芥物を直接この回収袋体に落下収容することとし、収容後の回収袋体を回収箱の開閉扉を開いて、ここから取り出すこととしたので、回収袋体への廃棄塵芥物の収容がきわめて簡単に行われて作業効率が向上すると共に、回収箱内そして周囲で廃棄塵芥物がこぼれて汚すこともなく、清掃の手間も省け、その点でも作業効率が向上する。
【図面の簡単な説明】
【００１９】
【図１】本発明の実施形態に係る廃棄塵芥物回収装置の構成を示す概略図である。
【図２】回収袋体に支持リングを取り付ける手順を示す図である。
【図３】廃棄塵芥物回収装置の回収機への回収袋体の装着の手順を示す図である。
【発明を実施するための形態】
【００２０】
以下、添付図面にもとづき、本発明の実施の形態について説明する。
【００２１】
図１は、本発明の実施形態に係る廃棄塵芥物回収装置１の構成を示す概略図である。該廃棄塵芥物回収装置１は、廃棄塵芥物Ｐ（例えば路面、公園、庭園等での落ち葉、街路樹での伐採枝等）を吸引する吸引ノズル２Ａを先端に備えた吸引管２と、吸引された廃棄塵芥物Ｐを後述の一次フィルタ８で回収し後述の回収袋体に落下収容させる回収機３と、一次フィルタ８で回収できなかった微細な廃棄塵芥物Ｐを回収機３の下流側で回収する二次フィルタ装置４と、該二次フィルタ装置４そして回収機３を経て吸引管２に吸引力を付与する吸引力発生装置５とを有している。
【００２２】
吸引管２は、可撓な管状部材であり、吸引力発生装置５による吸引力を受けても潰れない程度の十分な強度で作られている。吸引管２の吸引ノズル２Ａの周面には、吸引作業時にオペレータによって把持される把持部２Ｂが形成されている。図１に見られるように、吸引管２の下流側の端部は、後述する回収機３の回収箱７の上部の側面に接続されており、該回収箱７の内部空間における後述の第一室７Ａと連通している。
【００２３】
二次フィルタ装置４は、吸引力発生装置５と回収機３とを接続する第一接続管６の間に設けられている。該二次フィルタ装置４は、その上流側が回収機３の回収箱７の上部の側面に接続されており、該回収箱７の内部空間における後述の第二室７Ｂと連通している。この二次フィルタ装置４は、例えばＨＥＰＡフィルタ等で構成されており、回収機３の一次フィルタ８を透気した空気中に含まれている微細な廃棄塵芥物Ｐを捕捉して回収する。吸引力発生装置５は、二次フィルタ装置４の下流側に設けられており、二次フィルタ装置４そして回収機３を経て吸引管２に吸引力を付与するようになっている。この吸引力発生装置５は、例えばブロア等で構成されている。
【００２４】
回収機３は、回収箱７と、該回収箱７の内部空間の上部に設けられ廃棄塵芥物Ｐを捕捉する一次フィルタ８と、一次フィルタ８の下方位置に設けられ該一次フィルタ８で捕捉された廃棄塵芥物Ｐを回収袋体１１内へ滑落案内する円錐台状筒体をなす案内部９と、上下方向で案内部９とほぼ同位置に設けられ回収袋体１１を吊下支持する吊下支持部１０（図３（Ａ），（Ｂ）参照）とを有している。
【００２５】
回収箱７は、例えば円筒外形もしくは直方体外形をもつ密閉箱状をなしており、図１に見られるように、該回収箱７の内部空間が、その上部位置に設けられた一次フィルタ８により、吸気側（一次フィルタ８より下側）の第一室７Ａと排気側（一次フィルタ８より上側）の第二室７Ｂに区分されている。また、回収箱７は、該回収箱７内での回収袋体１１の装着そして該回収箱７からの回収袋体１１の取出しのための開閉扉７Ｃ（図１にて二点鎖線で図示）を側面に有している。該開閉扉７Ｃには開閉のための把手７Ｃ−１（図１にて二点鎖線で図示）が設けられている。
【００２６】
また、回収箱７は、図１に見られるように、該回収箱７の周壁の側面から突出するとともに該周壁を貫通する通気孔７Ｄが形成されている。該通気孔７Ｄは、第二接続管１４を介して第一接続管６と接続されている。つまり、通気孔７Ｄは、第二接続管１４、第一接続管６そして二次フィルタ装置４を介して第一室７Ａと吸引力発生装置５とを連通させている。したがって、吸引力発生装置５により第一室７Ａにおける回収袋体１１外の空間の空気が吸引されることにより、該空間内の圧力が低下するようになっている。また、第二接続管１４には、空気流量を調整する調整弁１５が設けられており、該調整弁１５の開度に応じて空気の吸引量ひいては回収袋体１１外の空間での圧力が調整可能となっている。
【００２７】
このような構成の本実施形態では、回収袋体１１内の空気が吸引力発生装置５により一次フィルタ８を介して吸引されて圧力が低下する一方で、回収袋体１１外の空間の空気も通気孔７Ｄを介して吸引力発生装置５により吸引されて圧力が低下するので、回収袋体１１の内側と外側の圧力を近づけることができる。したがって、吸引力発生装置５の吸引力が回収袋体１１内部に作用して該回収袋体１１が潰れてしまうことを防止できる。
【００２８】
また、本実施形態では、調整弁１５の開度を調整することにより第一室７Ａにおける回収袋体１１外の空間の圧力を調整できるので、例えば、回収袋体１１の素材のもつ通気性の程度に応じて、上記回収袋体１１外の空間を最適な圧力に調整して、回収袋体１１の潰れを良好に防止できる。具体的には、調整弁１５は、回収袋体１１の素材の通気性が低い場合には開度が大きくなるように、そして回収袋体１１の素材の通気性が高い場合には開度が小さくなるように設定される。なお、通気孔７Ｄは、吸引力発生装置５に直接接続されていてもよい。
【００２９】
また、回収箱７は、回収箱７内外を連通させるための開閉部材７Ｅが側面に設けられている。該開閉部材７Ｅは、回収箱７の側面に形成された孔部（図示せず）に対応して該側面にヒンジ等で取り付けられた蓋部材をなしており、回収箱７外と回収箱７の第一室７Ａとを遮断する閉状態（図１にて実線で図示）と、回収箱７外と第一室７Ａとを連通させる開状態（図１にて破線で図示）との間で回動自在となっている。本実施形態では、後述するように、回収袋体１１への廃棄塵芥物Ｐの回収後に開閉部材７Ｅを開状態として、第一室７Ａにおける回収袋体１１外の空間の圧力を上昇させることにより、回収袋体１１を圧縮してコンパクト化させることができる。なお、開閉部材７Ｅは、上述したような蓋部材に限らず、例えば、回収箱７に設けられた窓部に対してスライドしてその開度を外部から調整可能とするスライダ部材で構成されていてもよい。
【００３０】
一次フィルタ８は、例えばバグフィルタ等で構成されており、既述したように、回収箱７の内部空間の上部位置で該内部空間を吸気側（一次フィルタ８より下側）の第一室７Ａと排気側（一次フィルタ８より上側）の第二室７Ｂに区分している。図１に見られるように、上記第一室７Ａには吸引管２が連通して接続され、上記第二室７Ｂには第一接続管６が連通して接続されている。一次フィルタ８は、吸引管２から吸引された廃棄塵芥物Ｐを該一次フィルタ８の第一室７Ａ側の面で捕捉して回収するようになっている。
【００３１】
また、本実施形態では、吸引管２が回収箱７の第一室７Ａに対して接線方向に向く空気流を生ずるように接続されていて、第一室７Ａ内で一次フィルタ８の周囲に、サイクロンとして機能する旋回流（図１にて矢印で図示）を形成するようになっている。
【００３２】
案内部９は、上半部が、下方へ向かうにつれて縮径する縮径部９Ａをなし、下半部が、縮径部９Ａの下端から下方へ向けて直状に延びる直筒部９Ｂをなしており、全体が略漏斗状になっている。縮径部９Ａは、その上縁が回収箱７の内周面に連結されており、また、直筒部９Ｂは、回収袋体１１の開口部に上方から挿入されるようになっている（図３（Ａ）をも参照）。したがって、案内部９は、一次フィルタ８の第一室７Ａ側の面で捕捉そして回収され下方へ落下する廃棄塵芥物Ｐを確実に回収袋体１１内へ滑落案内できるようになっている。
【００３３】
吊下支持部１０の説明に先立って、まず、図２にもとづいて、吊下支持部１０に吊下支持される回収袋体１１について説明する。回収袋体１１は、いわゆるフレキシブルコンテナバッグであり、廃棄塵芥物Ｐを大量に収容しても破れにくい素材で作られていることが好ましい。また、該回収袋体１１は、通気性をもつ素材そしてもたない素材のいずれで作られていてもよい。
【００３４】
本実施形態では、回収袋体１１は、その開口縁部外周面に、例えば金属製の支持リング１２が配置され、この支持リング１２を介して、吊下支持部１０で吊下支持されるようになっている。回収袋体１１に支持リング１２を取り付ける手順は、図２に示される通りである。つまり、回収袋体１１の開口縁部の外面に支持リング１２を配した後（図２の左図）、回収袋体１１の開口端側を支持リング１２に対して折り返すことにより（図２の中図）、回収袋体１１が開口した状態が維持され（図２の右図）、この状態で吊下支持部１０へ吊下支持される。
【００３５】
図３（Ａ），（Ｂ）にもとづいて吊下支持部１０の構成について説明する。吊下支持部１０は、上下方向で案内部９の直筒部９Ｂに対応する位置にて、回収箱７の周方向での複数位置に設けられている。吊下支持部１０は、回収箱７の内周面に固定して取り付けられた固定部１０Ａと、上下方向に延びる軸線まわりに固定部１０Ａに対して回動可能な状態で該固定部１０Ａの上面に支持された係止部１０Ｂとを有している。
【００３６】
係止部１０Ｂは、例えば、長円状の金属板部材で作られており、その長手方向での一方の端部がボルトやピン等の軸部材によって固定部１０Ａの上面で回動可能に支持されているとともに、後述するように、他方の端部で回収袋体１１を吊下支持するようになっている。以下、上記一方の端部を「軸端部」そして上記他方の端部を「係止端部」という。係止部１０Ｂは、回収箱７の内周面に沿って延びて係止端部が固定部１０Ａから回収箱７の半径方向内方に張り出さない非係止位置（図３（Ｂ）にて実線で図示）と、回収箱７の半径方向内方に延び該半径方向で係止端部が固定部１０Ａから張り出す係止位置（図３（Ｂ）にて破線で図示）との間で回動可能となっている。係止部１０Ｂの位置は、上記軸部材を締めることで固定できる。
【００３７】
次に、図３（Ａ）にもとづいて、回収袋体１１を吊下支持部１０に吊下装着する手順を説明する。まず、図３（Ａ）の左図に示されるように吊下支持部１０の係止部１０Ｂを非係止位置に位置させておき（図３（Ｂ）をも参照）、支持リング１２が取り付けられた回収袋体１１の開口部を案内部９の直筒部９Ｂに対して下方からもたらし（図３（Ａ）の左図にて矢印で図示）、回収袋体１１の上部を直筒部９Ｂに被せる。そして、支持リング１２が吊下支持部１０の係止部１０Ｂよりも上方に位置した状態を維持したまま、係止部１０Ｂを非係止位置から回動させて係止位置にもたらす（図３（Ａ）の中図）。この係止位置にて、係止部１０Ｂの係止端部は支持リング１２の直下に張り出して位置する。したがって、支持リング１２が係止部１０Ｂの係止端部に係止して下方への移動が阻止されることにより、回収袋体１１が第一室７Ａ内で上記係止端部に吊下支持される。さらに、回収袋体１１の上部をバンド１３によって緊締して、該回収袋体１１を直筒部９Ｂに固定する（図３（Ａ）の右図）。また、吊下支持部１０から回収袋体１１を取り外す場合には、上述した手順を逆の順序で行う。
【００３８】
廃棄塵芥物回収装置１の動作について説明する。まず、回収機３の回収箱７の開閉扉７Ｃを開いて、支持リング１２を取り付けた回収袋体１１を上述した手順で吊下支持部１０に吊下支持させた後、開閉扉７Ｃを閉める。また、既述したように、例えば回収袋体１１の通気性の大小に応じて、調整弁１５の開度を調整する。該調整弁１５の開度の調整は吸引動作中に行うことも可能である。
【００３９】
次に、吸引力発生装置５を作動させて、吸引管２による廃棄塵芥物Ｐの吸引を開始する。吸引された廃棄塵芥物Ｐは回収機３の回収箱７の第一室７Ａ内へと搬送される。廃棄塵芥物Ｐは一次フィルタ８の第一室７Ａ側の面で捕捉そして回収されてから、案内部９を経て回収袋体１１内へ落下収容される。また、吸引動作中において、吸引力発生装置５の吸引力は、一次フィルタ８を介して回収袋体１１の内側の空間に作用する一方で、通気孔７Ｄを介して回収袋体１１の外側の空間に作用するので、既述したように、回収袋体１１の潰れが良好に防止される。
【００４０】
また、既述したように第一室７Ａ内では一次フィルタ８の周囲に旋回流が形成されるので、比較的大きい（重い）廃棄塵芥物Ｐが上記旋回流の遠心力の作用によって半径方向外方へ向け分離され、案内部９を経て回収袋体１１内へ落下収容される。したがって、大きい廃棄塵芥物Ｐが一次フィルタ８の第一室７Ａ側の面で回収されるべき量が減るので、その分、大きい廃棄塵芥物Ｐによる一次フィルタ８の目詰まりが生じにくくなり、一次フィルタ８の負担が軽減され、廃棄塵芥物Ｐの回収効率の低下を回避できる。
【００４１】
一次フィルタ８を透気した空気は第二室７Ｂを経て二次フィルタ装置４へ送られ、一次フィルタ８でも捕捉しきれずに空気中に残留している微細な廃棄塵芥物Ｐが二次フィルタ装置４で捕捉される。二次フィルタ装置４を透気した清浄空気は吸引力発生装置５により外気へ放出される。
【００４２】
回収袋体１１内に収容された廃棄塵芥物Ｐの量が回収袋体１１の所定の収容許容量に達したときには、開閉部材７Ｅを開状態として、回収箱７外と第一室７Ａとを連通させる。この結果、第一室７Ａにおいて、回収袋体１１の外側の圧力が内側の圧力よりも高くなるので、回収袋体１１が圧縮されコンパクト化される。次に、吸引力発生装置５を一旦停止してから、回収箱７の開閉扉７Ｃを開いて回収袋体１１を取り出し、支持リング１２を外してから開口を縛って封止する。しかる後、新たな回収袋体１１を既述の手順により回収箱７内で吊下支持させて開閉扉７Ｃ及び開閉部材７Ｅを閉じてから、吸引力発生装置５を作動させて、廃棄塵芥物Ｐの吸引を再開する。このとき、上記新たな回収袋体１１に、すでに廃棄塵芥物Ｐを回収した回収袋体１１から取り外された支持リング１２を取り付けることにより、該支持リング１２を再度利用することとしてもよい。
【００４３】
本実施形態では、回収箱７内に設けられた吊下支持部１０で回収袋体１１を吊下支持し、一次フィルタ８で回収された廃棄塵芥物Ｐを直接この回収袋体１１に落下収容することとし、収容後の回収袋体１１を回収箱７の開閉扉７Ｃを開いて、ここから取り出すこととしたので、回収袋体１１への廃棄塵芥物Ｐの収容がきわめて簡単に回収箱７内で直接行われるので、作業効率が向上するとともに、回収箱７内そして周囲で廃棄塵芥物Ｐがこぼれて汚すこともなく、清掃の手間も省け、その点でも作業効率が向上する。
【００４４】
本実施形態では、回収袋体１１を案内部９の直筒部９Ｂに下方から被せる際、吊下支持部１０の係止部１０Ｂは非係止位置にあることとした（図３（Ａ）の左図参照）。しかし、支持リング１２がその半径方向で容易に撓む可撓性をもつ材料で作られている場合には、係止部１０Ｂを係止位置に位置させたままあってでも、該係止部１０Ｂの係止端部を避けるように支持リング１２を撓ませることにより、回収袋体１１を直筒部９Ｂに被せることができる。
【００４５】
また、本実施形態では、回収袋体１１は吊下支持部１０への吊下装着の際に下方からもたらされることとしたが、回収袋体１１の装着する方向はこれに限られない。例えば、吊下支持部１０が案内部９の直筒部９Ｂの下端よりも下方に位置している場合には、回収袋体１１を側方からもたらして吊下支持部１０への吊下装着することも可能である。
【符号の説明】
【００４６】
１  廃棄塵芥物回収装置
２  吸引管
２Ａ  吸引ノズル
３  回収機
５  吸引力発生装置
６  第一接続管
７  回収箱
７Ａ  第一室
７Ｂ  第二室
７Ｃ  開閉扉
７Ｄ  通気孔
７Ｅ  開閉部材
８  一次フィルタ（フィルタ）
１０  吊下支持部
１１  回収袋体
１２  支持リング
１４  第二接続管（接続管）
１５  調整弁
【図１】
2015131272.tif 000003
【図２】
2015131272.tif 000004
【図３】
2015131272.tif 000005